【手続補正書】
【提出日】平成28年1月29日(2016.1.29)
【手続補正１】
【補正対象書類名】特許請求の範囲
【補正対象項目名】全文
【補正方法】変更
【補正の内容】
【特許請求の範囲】
【請求項１】
複数のプロジェクタにより投影される複数の画像をスクリーン上で合成して１つの投影画像を投影する画像投影システムを構成するプロジェクタであって、
自プロジェクタが投影する画像を取得するとともに、前記画像投影システムを構成する他のプロジェクタから当該他のプロジェクタが投影する画像を取得する取得手段と、
自プロジェクタが投影する画像と、前記取得手段により取得した他のプロジェクタが投影する画像とを合成することにより前記画像投影システムにより投影される投影画像のキャプチャ画像を生成する生成手段と、
を有するプロジェクタ。
【請求項２】
前記取得手段は、投影画像における複数の画像のレイアウト情報を更に取得し、
前記生成手段は、前記取得手段により取得したレイアウト情報に基づいて画像の合成を行う請求項１に記載のプロジェクタ。
【請求項３】
前記画像投影システムは、隣り合う画像同士の一部を重畳させるエッジブレンド処理により複数の画像をスクリーン上で合成するものであり、
前記取得手段が他のプロジェクタから取得する画像は、他のプロジェクタが投影する画像から重畳領域が除かれた切り出し画像であり、
前記生成手段は、自プロジェクタが投影する画像と、前記取得手段により取得した他のプロジェクタの切り出し画像とを合成することによりキャプチャ画像を生成する請求項１又は２に記載のプロジェクタ。
【請求項４】
前記取得手段は、投影画像における画像の位置、重畳領域の位置、重畳領域のサイズ、及び重畳領域に適用するガンマカーブの情報の少なくともいずれかを含むレイアウト情報を更に取得し、
前記生成手段は、前記取得手段により取得したレイアウト情報に基づいて画像の合成を行う請求項３に記載のプロジェクタ。
【請求項５】
前記取得手段は、他のプロジェクタにおいて画像処理が行われる前の画像を他のプロジェクタから取得し、
前記生成手段は、画像処理される前の自プロジェクタが投影する画像と、前記取得手段
により取得した画像処理が行われる前の他のプロジェクタが投影する画像とを合成することによりキャプチャ画像を生成する請求項３又は４に記載のプロジェクタ。
【請求項６】
前記取得手段は、他のプロジェクタにおいて画像処理が行われた後の画像を他のプロジェクタから取得し、
前記生成手段は、画像処理された後の自プロジェクタが投影する画像と、前記取得手段により取得した前記画像処理が行われた後の他のプロジェクタの画像とを合成することによりキャプチャ画像を生成する請求項３又は４に記載のプロジェクタ。
【請求項７】
前記画像処理は、エッジブレンド処理による重畳領域が黒浮きすることを抑制するための重畳領域以外の領域に対する輝度調整、重畳領域に対するガンマ調整、及び台形補正の少なくともいずれかを含む請求項５又は６に記載のプロジェクタ。
【請求項８】
他のプロジェクタから、自プロジェクタが投影する画像を当該他のプロジェクタへ送信する指示を受信した場合に、当該画像を当該他のプロジェクタへ送信する送信手段を有する請求項１〜７のいずれか１項に記載のプロジェクタ。
【請求項９】
他のプロジェクタから、自プロジェクタが投影する画像を当該他のプロジェクタへ送信する指示を受信した場合に、当該画像から重畳領域を除いた切り出し画像を生成する手段と、
生成した切り出し画像を当該他のプロジェクタへ送信する送信手段と、
を有する請求項３〜７のいずれか１項に記載のプロジェクタ。
【請求項１０】
前記プロジェクタは、画像を入力する画像入力手段を更に有し、
前記画像投影システムは、前記投影画像内に一又は複数の子画面を表示させ、各子画面にいずれかのプロジェクタの画像入力手段に入力される画像を表示させることが可能であり、
前記プロジェクタは、子画面のキャプチャを行う指示及びキャプチャの対象とする子画面を選択する指示を入力するためのユーザ操作を受け付ける入力手段を更に有し、
前記生成手段は、子画面のキャプチャを行う指示が入力された場合、指定された子画面に表示される画像が入力されているプロジェクタから当該画像を取得し、取得した画像を用いて当該子画面のキャプチャ画像を生成する請求項１〜９のいずれか１項に記載のプロジェクタ。
【請求項１１】
前記生成手段により生成されるキャプチャ画像を記憶する記憶手段を有する請求項１〜１０のいずれか１項に記載のプロジェクタ。
【請求項１２】
複数のプロジェクタにより投影される複数の画像をスクリーン上で合成して１つの投影画像を投影する画像投影システムを構成するプロジェクタの制御方法であって、
自プロジェクタが投影する画像を取得するとともに、前記画像投影システムを構成する他のプロジェクタから当該他のプロジェクタが投影する画像を取得する取得工程と、
自プロジェクタが投影する画像と、前記取得工程により取得した他のプロジェクタが投影する画像とを合成することにより前記画像投影システムにより投影される投影画像のキャプチャ画像を生成する生成工程と、
を有するプロジェクタの制御方法。
【請求項１３】
前記取得工程は、投影画像における複数の画像のレイアウト情報を更に取得し、
前記生成工程は、前記取得工程により取得したレイアウト情報に基づいて画像の合成を行う請求項１２に記載のプロジェクタの制御方法。
【請求項１４】
前記画像投影システムは、隣り合う画像同士の一部を重畳させるエッジブレンド処理により複数の画像をスクリーン上で合成するものであり、
前記取得工程が他のプロジェクタから取得する画像は、他のプロジェクタが投影する画像から重畳領域が除かれた切り出し画像であり、
前記生成工程は、自プロジェクタが投影する画像と、前記取得工程により取得した他のプロジェクタの切り出し画像とを合成することによりキャプチャ画像を生成する請求項１２又は１３に記載のプロジェクタの制御方法。
【請求項１５】
前記取得工程は、投影画像における画像の位置、重畳領域の位置、重畳領域のサイズ、及び重畳領域に適用するガンマカーブの情報の少なくともいずれかを含むレイアウト情報を更に取得し、
前記生成工程は、前記取得工程により取得したレイアウト情報に基づいて画像の合成を行う請求項１４に記載のプロジェクタの制御方法。
【請求項１６】
前記取得工程では、他のプロジェクタにおいて画像処理が行われる前の画像を他のプロジェクタから取得し、
前記生成工程では、画像処理される前の自プロジェクタが投影する画像と、前記取得工程で取得した画像処理が行われる前の他のプロジェクタが投影する画像とを合成することによりキャプチャ画像を生成する請求項１４又は１５に記載のプロジェクタの制御方法。
【請求項１７】
前記取得工程では、他のプロジェクタにおいて画像処理が行われた後の画像を他のプロジェクタから取得し、
前記生成工程では、画像処理された後の自プロジェクタが投影する画像と、前記取得工程で取得した画像処理が行われた後の他のプロジェクタが投影する画像とを合成することによりキャプチャ画像を生成する請求項１４又は１５に記載のプロジェクタの制御方法。
【請求項１８】
前記画像処理は、エッジブレンド処理による重畳領域が黒浮きすることを抑制するための重畳領域以外の領域に対する輝度調整、重畳領域に対するガンマ調整、及び台形補正の少なくともいずれかを含む請求項１６又は１７に記載のプロジェクタの制御方法。
【請求項１９】
他のプロジェクタから、自プロジェクタが投影する画像を当該他のプロジェクタへ送信する指示を受信した場合に、当該画像を当該他のプロジェクタへ送信する送信工程を有する請求項１２〜１８のいずれか１項に記載のプロジェクタの制御方法。
【請求項２０】
他のプロジェクタから、自プロジェクタが投影する画像を当該他のプロジェクタへ送信する指示を受信した場合に、当該画像から重畳領域を除いた切り出し画像を生成する工程と、
生成した切り出し画像を当該他のプロジェクタへ送信する送信工程と、
を有する請求項１４〜１８のいずれか１項に記載のプロジェクタの制御方法。
【請求項２１】
前記プロジェクタは、画像を入力する画像入力手段を有し、
前記画像投影システムは、前記投影画像内に一又は複数の子画面を表示させ、各子画面にいずれかのプロジェクタの画像入力手段に入力される画像を表示させることが可能であり、
子画面のキャプチャを行う指示及びキャプチャの対象とする子画面を選択する指示を入力するためのユーザ操作を受け付ける入力工程を更に有し、
前記生成工程では、子画面のキャプチャを行う指示が入力された場合、指定された子画面に表示される画像が入力されているプロジェクタから当該画像を取得し、取得した画像を用いて当該子画面のキャプチャ画像を生成する請求項１２〜２０のいずれか１項に記載のプロジェクタの制御方法。
【請求項２２】
マスタープロジェクタ及び少なくとも１つのスレーブプロジェクタの複数のプロジェクタを有し、複数のプロジェクタにより投影される複数の画像をスクリーン上で合成して１つの投影画像を投影する画像投影システムであって、
マスタープロジェクタは、
自プロジェクタが投影する画像を取得するとともに、スレーブプロジェクタから当該スレーブプロジェクタが投影する画像を取得する取得手段と、
自プロジェクタが投影する画像と、前記取得手段により取得したスレーブプロジェクタが投影する画像とを合成することにより前記画像投影システムにより投影される投影画像のキャプチャ画像を生成する生成手段と、
を有し、
スレーブプロジェクタは、
マスタープロジェクタから、自プロジェクタが投影する画像をマスタープロジェクタへ送信する指示を受信した場合に、当該画像をマスタープロジェクタへ送信する送信手段を有する画像投影システム。
【手続補正２】
【補正対象書類名】明細書
【補正対象項目名】００１１
【補正方法】変更
【補正の内容】
【００１１】
本発明は、複数のプロジェクタにより投影される複数の画像をスクリーン上で合成して１つの投影画像を投影する画像投影システムを構成するプロジェクタであって、
自プロジェクタが投影する画像を取得するとともに、前記画像投影システムを構成する他のプロジェクタから当該他のプロジェクタが投影する画像を取得する取得手段と、
自プロジェクタが投影する画像と、前記取得手段により取得した他のプロジェクタが投影する画像とを合成することにより前記画像投影システムにより投影される投影画像のキャプチャ画像を生成する生成手段と、
を有するプロジェクタである。
【手続補正３】
【補正対象書類名】明細書
【補正対象項目名】００１２
【補正方法】変更
【補正の内容】
【００１２】
本発明は、複数のプロジェクタにより投影される複数の画像をスクリーン上で合成して１つの投影画像を投影する画像投影システムを構成するプロジェクタの制御方法であって、
自プロジェクタが投影する画像を取得するとともに、前記画像投影システムを構成する他のプロジェクタから当該他のプロジェクタが投影する画像を取得する取得工程と、
自プロジェクタが投影する画像と、前記取得工程により取得した他のプロジェクタが投影する画像とを合成することにより前記画像投影システムにより投影される投影画像のキャプチャ画像を生成する生成工程と、
を有するプロジェクタの制御方法である。
【手続補正４】
【補正対象書類名】明細書
【補正対象項目名】００１３
【補正方法】変更
【補正の内容】
【００１３】
本発明は、マスタープロジェクタ及び少なくとも１つのスレーブプロジェクタの複数のプロジェクタを有し、複数のプロジェクタにより投影される複数の画像をスクリーン上で合成して１つの投影画像を投影する画像投影システムであって、
マスタープロジェクタは、
自プロジェクタが投影する画像を取得するとともに、スレーブプロジェクタから当該スレーブプロジェクタが投影する画像を取得する取得手段と、
自プロジェクタが投影する画像と、前記取得手段により取得したスレーブプロジェクタが投影する画像とを合成することにより前記画像投影システムにより投影される投影画像のキャプチャ画像を生成する生成手段と、
を有し、
スレーブプロジェクタは、
マスタープロジェクタから、自プロジェクタが投影する画像をマスタープロジェクタへ送信する指示を受信した場合に、当該画像をマスタープロジェクタへ送信する送信手段を有する画像投影システムである。